(57)【要約】【課題】パーティションとしての本来の機能性や意匠性を損なうことなく、手摺としても有効に利用することができる手摺機能付きパーティションを提供する。【解決手段】この手摺機能付きパーティション１は、互いに平行且つ等間隔に並設された複数の縦格子材２を備え、これら縦格子材２のうちの一部又は全部が縦手摺とされている。縦手摺２は、並設方向の横幅Ｗ１が上端部２ａから下端部２ａにかけて一定とされ、並設方向と直交する方向の横幅Ｗ２が上端部２ａから下端部２ａにかけて変化されている。【選択図】図１
2014029084.tif 000002
【特許請求の範囲】
【請求項１】
互いに略平行且つ略等間隔に並設された複数の縦格子材（２）を備え、これら縦格子材（２）のうちの一部又は全部が縦手摺とされ、前記縦手摺（２）は、並設方向の横幅（Ｗ１）が上端部（２ａ）から下端部（２ａ）にかけて一定とされ、並設方向と直交する方向の横幅（Ｗ２）が上端部（２ａ）から下端部（２ａ）にかけて変化されていることを特徴とする手摺機能付きパーティション。
【請求項２】
前記縦手摺（２）は、並設方向と直交する方向の横幅（Ｗ２）が中央部（２ｂ）から上下端部（２ａ）（２ａ）に向かうにつれて漸増されている請求項１記載の手摺機能付きパーティション。
【請求項３】
前記縦手摺（２）は、中央部（２ｂ）が断面円形状とされ、中央部（２ｂ）から上下端部（２ａ）（２ａ）にかけての部分が断面楕円形状とされている請求項２記載の手摺機能付きパーティション。
【請求項４】
隣接する縦格子材（２）（２）間の間隔が４０ｍｍ〜５０ｍｍとされている請求項１乃至３のいずれかに記載の手摺機能付きパーティション。
【請求項５】
隣接する縦格子材（２）（２）の上端部（２ａ）（２ａ）同士及び下端部（２ａ）（２ａ）同士が連結材（３）を介して連結されている請求項１乃至４のいずれかに記載の手摺機能付きパーティション。
【請求項６】
建物屋内における床面（１４）から天井面（１５）に跨って設置される請求項１乃至５のいずれかに記載の手摺機能付きパーティション。
【発明の詳細な説明】
【技術分野】
【０００１】
この発明は、主として住宅やマンション等の建物の屋内に設けられる手摺機能付きパーティションに関する。
【背景技術】
【０００２】
住宅の玄関や廊下にパーティションを設けることで、空間のアクセントとしたり、視線を適度に遮るといったことは、従来より行われている。この種のパーティションとしては、複数の縦格子材を互いに平行且つ等間隔に並設した構造のものが一般的に知られている（例えば特許文献１参照）。
【先行技術文献】
【特許文献】
【０００３】
【特許文献１】特開平８−１０５２２０号公報
【発明の概要】
【発明が解決しようとする課題】
【０００４】
ところで、例えば住宅の玄関のような立ち座り動作を日常的に行う場所に設けたパーティションにおいては、その縦格子材が立ち座り動作の際に手摺として利用されることがある。
【０００５】
しかしながら、パーティションの縦格子材は、そもそも手摺としての利用を想定していないことから、握り難かったり、力が入り難かったりすることが多く、手摺として利用するには種々の問題があった。
【０００６】
かといって、縦格子材の形状を手摺として使い易いように手摺機能を優先して改良すれば、パーティションとしての本来の機能性や意匠性を損なってしまうといった不具合がある。
【０００７】
そこで、この発明は、上記の不具合を解消して、パーティションとしての本来の機能性や意匠性を損なうことなく、手摺としても有効に利用することができる手摺機能付きパーティションの提供を目的とする。
【課題を解決するための手段】
【０００８】
上記課題を解決するため、この発明の手摺機能付きパーティション１は、互いに略平行且つ略等間隔に並設された複数の縦格子材２を備え、これら縦格子材２のうちの一部又は全部が縦手摺とされ、前記縦手摺２は、並設方向の横幅Ｗ１が上端部２ａから下端部２ａにかけて一定とされ、並設方向と直交する方向の横幅Ｗ２が上端部２ａから下端部２ａにかけて変化されていることを特徴としている。
【０００９】
前記縦手摺２は、具体的には、並設方向と直交する方向の横幅Ｗ２が中央部２ｂから上下端部２ａ、２ａに向かうにつれて漸増されている。また、中央部２ｂが断面円形状とされ、中央部２ｂから上下端部２ａ、２ａにかけての部分が断面楕円形状とされている。
【００１０】
また、隣接する縦格子材２、２間の間隔が４０ｍｍ〜５０ｍｍとされている。加えて、隣接する縦格子材２、２の上端部２ａ、２ａ同士及び下端部２ａ、２ａ同士が連結材３を介して連結されている。さらに、建物屋内における床面１４から天井面１５に跨って設置される。
【発明の効果】
【００１１】
この発明の手摺機能付きパーティションにおいては、縦格子材の一部又は全部が縦手摺とされていて、それら縦手摺は、並設方向と直交する方向の横幅（太さ）が上端部から下端部にかけて変化している。このため、縦手摺を握って立ち座り動作を行う場合、握る位置をずらしながら調整することで、利用者にとって握り易く、力が入り易い箇所を簡単且つ確実に見つけ出すことができ、立ち座り動作を良好にサポートすることができる。また、縦格子材は、互いに略平行且つ略等間隔に並設されていて、縦手摺は、並設方向の横幅（太さ）が上端部から下端部にかけて一定となっていることから、並設方向と直交する方向から見た場合、一般的な縦格子材を備えたパーティションと同様の外観とすることができ、上記のように縦格子材の一部又は全部を使い勝手の良好な縦手摺としているにもかかわらず、パーティションとしての本来の機能性や意匠性を損なうこともない。
【００１２】
特に、縦手摺において、並設方向と直交する方向の横幅（太さ）を中央部から上下端部に向かうにつれて漸増させたり、さらには中央部を断面円形状とし、中央部から上下端部にかけての部分を断面楕円形状とすることで、利用者にとってより一層使い勝手の良い手摺とすることができる。
【００１３】
また、隣接する縦格子材の間隔を４０ｍｍ〜５０ｍｍとすることで、縦手摺を支障なく握ることができるとともに、パーティションの目隠し機能にも悪影響を及ぼすことはない。
【００１４】
さらに、縦格子材の上端部同士及び下端部同士を連結材を介して連結することで、縦格子材の取付強度を高めることができ、縦手摺として利用した場合でも安定して身体を支えることができる。
【００１５】
さらにまた、このような手摺機能付きパーティションを、建物屋内の床面から天井面に跨って設置することによって、屋内空間との調和を図りながら、屋内空間のアクセントとすることができ、特に玄関等の立ち座り動作を日常的に行う場所に設置することで、立ち座り動作を良好にサポートすることができ、利用価値を高めることができる。
【図面の簡単な説明】
【００１６】
【図１】本発明の一実施形態に係る手摺機能付きパーティションを示す斜視図である。
【図２】同じくその手摺機能付きパーティションの正面図である。
【図３】（ａ）は縦手摺の正面図、（ｂ）は縦手摺の側面図である。
【図４】手摺機能付きパーティションの設置状態を示す斜視図である。
【発明を実施するための形態】
【００１７】
この発明の一実施形態に係る手摺機能付きパーティション１は、図１及び図２に示すように、互いに平行且つ等間隔に並設された複数の縦格子材２を、連結材３を介して連結することで構成されている。そして、縦格子材２の全部が縦手摺として有効に利用することができるようになっている。
【００１８】
縦手摺２は、図３に示すように、高さ約２５００ｍｍの長尺の棒材であって、その並設方向の横幅Ｗ１が上端部２ａから下端部２ａにかけて一定とされ、並設方向と直交する方向の横幅Ｗ２が上端部２ａから下端部２ａにかけて変化されている。具体的に説明すると、縦手摺２は、その並設方向と直交する方向の横幅Ｗ２が中央部２ｂから上下端部２ａ、２ａに向かうにつれて漸増されていて、中央部２ｂが横断面円形状とされ、中央部２ｂから上下端部２ａ、２ａにかけての部分が横断面楕円形状とされ、上下端部２ａ、２ａが横断面長方形状とされている。このため、縦手摺２を、その並設方向と直交する方向から見た場合には、図３（ａ）に示すように細長の長方形状であるのに対して、並設方向から見た場合には、図３（ｂ）に示すように中央部２ｂが括れた（上下端部２ａ、２ａへ向けて末広がりとなった）細長の鼓形状となっている。なお、縦手摺２の横幅Ｗ１は約３５ｍｍとされ、横幅Ｗ２においては、中央部２ｂが約３５ｍｍ、中央部２ｂから上下端部２ａ、２ａにかけての部分が約３５ｍｍ〜約１０５ｍｍ、上下端部２ａ、２ａが約１０５ｍｍとされている。
【００１９】
連結材３は、図１及び図２に示すように、隣接する縦手摺２、２の上端部２ａ、２ａ同士及び下端部同士２ａ、２ａ同士を連結していて、その高さが約４２０ｍｍ、縦手摺２の並設方向の横幅が４０ｍｍ〜５０ｍｍ（具体的には４５ｍｍ）、縦手摺２の並設方向と直交する方向の横幅が６５ｍｍの角柱状とされている。このため、隣接する縦手摺２、２間の間隔は４０ｍｍ〜５０ｍｍ（具体的には４５ｍｍ）となり、隣の縦手摺２に干渉することなく、縦手摺２を支障なく握ることができるようになっている。
【００２０】
図４は、上記構成の手摺機能付きパーティション１の住宅の玄関１０への設置例を示している。具体的には、玄関土間１１側と廊下１２側とを部分的に隔てるようにして、玄関土間１１に設けた椅子１３の側方において、廊下１２側の床面１４から天井面１５に跨って設置されている。なお、この手摺機能付きパーティション１においては、壁当り側の縦手摺２の上下端部２ａ、２ａが連結材３を介して壁面１６に連結されている。
【００２１】
このようにして手摺機能付きパーティション１を設置することによって、玄関空間との調和を図りながら、玄関空間のアクセントとすることができ、椅子１３に座ったときに、包み込まれるような安心感と格子越しの光や視線の抜けを演出することができる。また、縦格子材が縦手摺２となっていることから、椅子１３に座ったり、椅子１３から立ち上がるときに、縦手摺２を握ることで、立ち座り動作をサポートすることができる。
【００２２】
特に、縦手摺２は、その並設方向と直交する方向の横幅Ｗ２が中央部２ｂから上下端部２ａ、２ａに向かうにつれて漸増しているから、握り位置を上下にずらしながら調整することで、利用者にとって握り易く、力が入り易い箇所を簡単且つ確実に見つけ出すことができ、立ち座り動作を良好にサポートすることができる。しかも、このように使い勝手の良い縦手摺２としながらも、手摺機能付きパーティション１を並設方向と直交する方向から見た場合は、一般的な縦格子材を備えたパーティションと同様の外観とすることができ、パーティションとしての本来の機能性や意匠性を損なうこともない。
【００２３】
以上に、この発明の具体的な実施の形態について説明したが、この発明は、上記実施形態に限定されるものではなく、この発明の範囲内で上記実施形態に多くの修正及び変更を加え得ることは勿論である。例えば、上記実施例においては、玄関１０に手摺機能付きパーティション１を設けていたが、これに限らず、階段横に設けて階段の手摺として利用したり、居間等に設けても良い。また、並設する縦格子材２の本数は、設置箇所の状況に応じて適宜調整可能である。さらに、上記実施例では、全ての縦格子材２を縦手摺としていたが、一部の縦格子材２のみ、例えば手摺として利用し易い最端部に設けられた縦格子材２のみを縦手摺としても良い。
【符号の説明】
【００２４】
１・・手摺機能付きパーティション、２・・縦格子材（縦手摺）、３・・連結材、１４・・床面、１５・・天井面、Ｗ１・・縦手摺の並設方向の横幅、Ｗ２・・縦手摺の並設方向と直交する方向の横幅
【図１】
2014029084.tif 000003
【図２】
2014029084.tif 000004
【図３】
2014029084.tif 000005
【図４】
2014029084.tif 000006